(57)【特許請求の範囲】
【請求項１】
ベッド本体と、
固定床部及びこの固定床部に対して上方に回動可能であって、水平な状態よりも下方には回動しないよう連結される可動床部を有し、上記ベッド本体の上面に上記固定床部が上記ベッド本体に対して弾性的に変位可能に取付けられる床板体と、
この床板体の上記可動床部を起伏駆動する起伏駆動機構と、
上記固定床部の上記ベッド本体の幅方向に位置する長手方向の両端部であって、この長手方向と交差する上記ベッド本体の長手方向に位置する幅方向の両端部の４つの箇所に対応して上記ベッド本体に設けられた４つのスイッチを有し、上記固定床部或いは上記可動床部の上面に加わる荷重によって上記固定床部が弾性的に変位したときにそのことを検出する離床検出手段と
を具備したことを特徴とする起床式ベッド装置。
【請求項２】
上記ベッド本体の上記固定床部の長手方向両端部の下面側に対向する部位に上記ベッド本体の長手方向に沿って設けられ両端部に上記スイッチが取付けられた一対の取付け部材と、
この取付け部材の両端部に設けられ上面が開口し内部に上記床板体を弾性的に変位可能に支持する弾性支持部材が収容された筒状の収容部と、
各収容部の底部に設けられ上記弾性支持部材が上記固定床部を支持する弾性力を調整する調整部材と
を具備したことを特徴とする請求項１記載の起床式ベッド装置。
【請求項３】
上記弾性支持部材の上端には、上記固定床部が荷重を受けて下方へ弾性的に変位したときに、上記スイッチの検出部を作動させる受け部材が設けられていることを特徴とする請求項２記載の起床式ベッド装置。
【請求項４】
上記弾性支持部材が収容された収容部と上記スイッチとの間に中途部が枢支され一端の上部が上記固定床部の下面に当接し下部が上記弾性支持部材の上端に当接するとともに、他端が上記スイッチの作動部に当接した作動レバーが設けられていることを特徴とする請求項２記載の起床式ベッド装置。
【発明の詳細な説明】
【技術分野】
【０００１】
この発明は、たとえば病院などで介護用に使用するために好適する起床式ベッド装置に関する。
【背景技術】
【０００２】
たとえば、老人や身体の不自由な利用者が用いるベッド装置として起伏式ベッド装置が知られている。この起伏式ベッド装置は、ベッド本体(ベッドフレーム)を有し、このベッド本体にはマットレスが載置される床板体が設けられている。この床板体は複数の床部に分割されている。
【０００３】
複数の床板部のうち、ベッド本体の長手方向中央分に位置する床部をベッド本体に取付けられる固定床部とし、この固定床部の一端に複数若しくは１つの床部を背上げ床部として起伏可能に連結し、他端に複数若しくは１つの床部を脚上げ床部として起伏可能に連結して構成されている。このような構成の起床式ベッド装置によれば、利用者は床板体に載置されたマットレス上で上半身を楽に起こすと同時に、脚部を屈曲させることができるという利点を有する。
【０００４】
ところで、上記構成の起床式ベッド装置の利用者に徘徊癖があるような場合、病院などでは利用者がマットレス上にいるか否かを検出し、たとえばナースセンターなどで監視するということが行われている。つまり、マットレス上に利用者がいるか否かを離床検出装置によって検知し、その検出信号をナースセンターに送るということが行われている。
【０００５】
従来、上述した利用者の検出を行うための離床検出装置としては、マットレスなどのクッション部材の内部の一部に、弾性的に撓曲可能なパネル本体を設ける。このパネル本体には、マットレスに加わる荷重によってパネル本体が撓んだとき、その撓みによって検出信号を出力する検出センサが設けられている。
【０００６】
したがって、利用者がマットレス上にいて、その利用者の荷重でパネル本体が撓んでいてれば、上記検出センサが検知信号を出力するから、利用者がマットレス上にいることになり、検出センサからの出力がなくなったときには利用者がマットレス上からいなくなったとして検出することができるようになっている。
【０００７】
また、他の手段としてはベッド本体の側部に側柵を設けて利用者がマットレス上から降りることができる領域を制限し、この領域を検知領域とすることで、この検知領域に対応するベッド本体とマットレスの間の部分に検出センサを設ける。
【０００８】
そして、マットレス上の利用者が検知領域を経て降りる際、上記検出センサに加わる荷重によって利用者がマットレス上から降りたことを検出するようにしている。
【先行技術文献】
【特許文献】
【０００９】
【特許文献１】特開２００７−１７５１４８号公報
【特許文献２】特開２００３−２６５５４６号公報
【発明の概要】
【発明が解決しようとする課題】
【００１０】
ところで、前者の構成によって利用者がマットレス上にいるか否かを検出する場合、上記検出センサはマットレスの一部分に設けられるため、利用者がマットレス上にいても、利用者の荷重が上記パネルに確実に作用しないことがあり、そのような場合には上記パネルが撓まず、検出センサがマットレス上の利用者を検知できないから、利用者がマットレス上から降りたことも検出できないことになる。
【００１１】
前者の構成においてマットレス上に利用者がいるか否かを確実に検出できるようにするためには、上記パネルをマットレスの一部分だけでなく、広い範囲にわたって設けることが必要となる。
【００１２】
しかしながら、上記パネルをマットレスの広い範囲にわたって設けるようにしたのではコストが上昇するということがあるばかりか、マットレスの性能がパネルによって損なわれるということがある。
【００１３】
さらに、上記検出センサは上記パネルに電気的に接続して設けられる。しかしながら、パネルに荷重によって撓むということが繰り返されると、検出センサとパネルとの電気的に接続された部分が早期に損傷するということもある。
【００１４】
一方、後者の場合、ベッド本体の側部に、利用者がマットレス上から降りることができる検知領域を設け、この検知領域に検知センサを設けるようにしている。そのため、利用者が側柵を外して検知領域以外の箇所から降りた場合にはそのことを検出することができないということがある。
【００１５】
しかも、ベッド装置が上述したように床板体を複数の床部に分割し、その一部を起伏させることができる起床式ベッド装置であって、背床部や脚床部が起上させられている場合、マットレス上における利用者の姿勢によっては利用者の荷重のほとんどが固定床部に加わり、背床部や脚床部などに加わり難くなることがある。
【００１６】
そのような場合、起伏駆動される背床部や脚床部と対応する部分に前者の検出センサが設けられたパネルがあると、その検出センサが利用者の荷重によって確実に作動しないことがあるから、そのようなときには利用者がマットレス上に居ることやマットレスから降りたことを検出できないということがある。
【００１７】
また後者の検知領域が背床部と対応する部分にあって、そこに検出センサが設けられている場合、床板体上に載置されたマットレス上の利用者は上記検知領域から降り難くいために他の部分から降りることがあり、そのような場合には上記検知領域に設けられた検出センサによって利用者を確実に検出できないということがある。
【００１８】
この発明は、床板体の一部の床部が起伏駆動される起床式のベッド装置において、ベッド本体上に利用者がいるか否かを比較的簡単な構成で、しかも床部が起上していても利用者が居るか否かを確実に検出することができるようにした起床式ベッド装置を提供することにある。
【課題を解決するための手段】
【００１９】
この発明は、ベッド本体と、
固定床部及びこの固定床部に対して上方に回動可能であって、水平な状態よりも下方には回動しないよう連結される可動床部を有し、上記ベッド本体の上面に上記固定床部が上記ベッド本体に対して弾性的に変位可能に取付けられる床板体と、
この床板体の上記可動床部を起伏駆動する起伏駆動機構と、
上記固定床部の上記ベッド本体の幅方向に位置する長手方向の両端部であって、この長手方向と交差する上記ベッド本体の長手方向に位置する幅方向の両端部の４つの箇所に対応して上記ベッド本体に設けられた４つのスイッチを有し、上記固定床部或いは上記可動床部の上面に加わる荷重によって上記固定床部が弾性的に変位したときにそのことを検出する離床検出手段と
を具備したことを特徴とする起床式ベッド装置にある。
【発明の効果】
【００２４】
この発明によれば、複数の床部に分割された床板体の、ベッド本体に取付けられる固定床部を上記ベッド本体に弾性的に変位可能に取付け、利用者の荷重による上記固定床部の弾性的変位によって、床板体上に利用者がいるか否かを検出するようにした。
【００２５】
そのため、床板体のどの部分に利用者の荷重が加わっても、その荷重によって上記固定床部が弾性的に変位するから、床板体の背上げ床部などが起上させられていても、床板体上に利用者がいるか否かを確実に検出することが可能となる。
【図面の簡単な説明】
【００２６】
【図１】この発明の第１の実施の形態を示す起床式ベッド装置の正面図。
【図２】図１に示す起床式ベッド装置の床板体を示す平面図。
【図３】上記床板体が倒伏状態にあるときの正面図。
【図４】上記床板体が起上状態にあるときの正面図。
【図５】図３にＡで示す床フレームと、この床フレームに弾性的に変位可能に取付けられた固定床部との取付け部分の拡大図。
【図６】この発明の第２の実施の形態を示す床フレームと、この床フレームに弾性的に変位可能に取付けられた固定床部との取付け部分の拡大図。
【発明を実施するための形態】
【００２７】
以下、この発明の実施の形態を図面を参照しながら説明する。
【００２８】
図１乃至図５はこの発明の第１の実施の形態を示す。図１は病院などで用いられる起床式ベッド装置の側面図であって、このベッド装置はベッド本体１を備えている。ベッド本体１はベースフレーム２を有する。このベースフレーム２は矩形枠状に形成されていて、その四隅部にはストッパ付のキャスタ３が設けられている。それによって、ベースフレーム２は移動可能となっている。
【００２９】
上記ベースフレーム２には上下駆動機構４によって載置フレーム５が上下動可能、つまり高さ調整可能に設けられている。上記上下駆動機構４は、駆動源６を有する。上記ベースフレーム２の四隅部には連動アーム７（４つのうちの２つを図示）の一端が枢着されている。各連動アーム７の他端は上記載置フレーム５の長手方向両端部の両側内面にそれぞれ枢着されている。載置フレーム５の長手方向の両端部に設けられた左右一対の連動アーム７は図示しない連結杆によって連結されている。
【００３０】
上記駆動源６は上記連動アーム７を図示しない動力伝達機構を介して揺動駆動する。それによって、上記載置フレーム５が上下方向に駆動されるようになっている。載置フレーム５の長手方向一端にはヘッドボード８、他端にはフットボード９がほぼ垂直に設けられている。
【００３１】
上記載置フレーム５の上面には床フレーム１１が載置されている。この床フレーム１１の上面には床板体１２が設けられている。床板体１２は背床部１３、腰床部１３ｂ、固定床部１３ｃ、第１の脚床部１３ｄ及び第２の脚床部１３ｅの５つの床部に分割されている。
【００３２】
５つの床部１３ａ〜１３ｅは互いに回動可能に連結されていて、上記固定床部１３ｃは上記床フレーム１１に後述するように上下方向に弾性的に変位可能に取付けられている。なお、上記固定床部１３ｃに対して他の床部１３ａ，１３ｃ，１３ｄ，１３ｅは上方に回動するが、水平な状態よりも下方へは回動しないように連結されている。
【００３３】
上記床フレーム１１には起伏駆動機構１５が設けられている。この起伏駆動機構１５は、上記背床部１３ａ，腰床部１３ｂ、第１の脚床部１３ｄ及び第２の脚床部１３ｅを起伏駆動させるようになっている。  
なお、上記床板体１２の上面には図１に鎖線で示すマットレスＭが載置される。
【００３４】
図２に示すように、上記ベッド本体１の上記床フレーム１１の両側には縦桟１１ａが設けられ、各縦桟１１ａの内面の上記固定床部１３ｃに対応する部分には、図５に示すようにそれぞれ帯板状の取付け部材１６が上記ベッド本体１の長手方向に沿って設けられている。
【００３５】
一対の上記取付け部材１６の長手方向両端部には上端が開放した収容部としての筒状の収容部材１７が設けられている。この収容部材１７の内部には下端側に円盤状の支持板１８を介して弾性支持部材としての圧縮ばね１９が収容されている。この圧縮ばね１９の上部には軸方向中途部に鍔部２１を有する受け部材２２が下端部を上記圧縮ばね１９の上端に係合させて設けられている。
【００３６】
上記受け部材２２の上記鍔部２１よりも上側の部分は上記収容部材１７の上端開口から上方に突出している。４本の受け部材２２の上端面は上記固定床部１３ｃの下面に弾性的に当接している。つまり、上記固定床部１３ｃは、４本の受け部材２２を介して上記圧縮ばね１９により、上記ベッド本体１に上下方向に弾性的に変位可能に支持されている。
【００３７】
上記一対の取付け部材１６の長手方向両端部にはそれぞれ離床検出手段としてのマイクロスイッチ２３がその検出部２３ａの先端部を上記受け部材２２の鍔部２１の下面に対向させて設けられている。
【００３８】
つまり、４つのマイクロスイッチ２３は、上記ベッド本体１の幅方向に対応する上記固定床部１３ｃの長手方向両端部及びこの長手方向と交差する上記固定床部１３ｃの幅方向の両端部の下面に対向する部分に設けられている。
【００３９】
上記固定床部１３ｃに荷重が加わり、この固定床部１３ｃが上記圧縮ばね１９を復元力に抗して圧縮変形させて下方へ弾性的に変位すると、上記受け部材２２の鍔部２１によって上記マイクロスイッチ２３の検出部２３ａが押圧されてこのマイクロスイッチ２３が作動する。
【００４０】
上記マイクロスイッチ２３は上記固定床部１３ｃの長手方向両端部及び幅方向両端部に対向する４箇所に設けられている。そのため、上記固定床部１３ａに偏って荷重が加わり、上記固定床部１３ｃが水平に弾性変位せずに傾いて変位しても、この固定床部１３ｃに荷重が加わったことが４つのマイクロスイッチ２３のうちの少なくとも１つによって確実に検出されるようになっている。
【００４１】
上記マイクロスイッチ２３がオン・オフされると、そのことが図示しないナースセンターに設けられた表示盤に表示されるようになっている。なお、マイクロスイッチ２３がオン・オフされると、その状態が表示盤に表示されると同時に、上記表示盤からは音声によってその状態が報知されるようになっている。
【００４２】
図５に示すように、上記固定床部１３ｃの長手方向の両端部には、それぞれこの長手方向と交差する幅方向に対して所定間隔で一対の通孔２５、つまり合計で４つの通孔２５が穿設されている。各通孔２５の上端には、通孔２５に比べて大径の座部２５ａが形成されている。
【００４３】
上記通孔２５には取付けねじ２６が挿通され、下端が上記床フレーム１１の縦桟１１ａの上面側に螺合されている。上記取付けねじ２６の上端には頭部２６ａが設けられ、この頭部２６ａが上記座部２５ａに係合している。
【００４４】
上記取付けねじ２６は、上記固定床部１３ｃが上記圧縮ばね１９を弾性変形させて下方へ弾性的に変位できる状態で上記縦桟１１ａに締め込まれている。この状態で、上記縦桟１１ａに形成された上記通孔２５の上端の座部２５ａの内底面が上記取付けねじ２６の頭部２６ａ下面に弾性的に当接している。
【００４５】
図４と図５に示すように、上記各床部１３ａ〜１３ｅの少なくとも下面の四隅部にはストッパ部材２７が設けられている。このストッパ部材２７によって、上記固定床部１３ｃの下方への変位量は、ストッパ部材２７の下面と床フレーム１１の縦桟１１ａの上面との間隔である、図５にＺで示す寸法に設定されている。
【００４６】
上記収容部材１７の底壁にはボルトからなる調整部材２８が螺合されている。この調整部材２８をねじ込めば、上記圧縮ばね１９が圧縮されるから、上記固定床部１３ｃを上記受け部材２２を介して弾性的に支持する上記圧縮ばね１９の弾性力を調整できるようになっている。
【００４７】
上記構成の起床式ベッド装置によれば、利用者が床板体１２上に載置されたマットレスＭ上に載ると、利用者の荷重はマットレスＭを介して床板体１２によって支持される。上記床板体１２の固定床部１３ｃは、ベッド本体１の床フレーム１１に対して弾性的に変位可能に支持されている。
【００４８】
そのため、床板体１２が利用者の荷重を受けると、ベッド本体１に弾性的に変位可能に支持された上記固定床部１３ｃが圧縮ばね１９を圧縮させながら下方へ変位する。それによって、受け部材２２に設けられた鍔部２１がマイクロスイッチ２３をオンにするから、このマイクロスイッチ２３からの信号によってマットレスＭ上に利用者がいることが検出される。
【００４９】
利用者がマットレスＭ上から降りると、上記固定床部１３ｃが圧縮ばね１９の復元力によって上昇し、それまでオンとなっていたマイクロスイッチ２３がオフとなる。したがって、マイクロスイッチ２３がオフからオンになったことによって利用者がマットレスＭ上から降りたことが検出される。
【００５０】
すなわち、上記構成によれば、利用者がマットレスＭのどの部分に載っても、利用者の荷重は床板体１２の固定床部１３ｃに加わり、この固定床部１３ｃが圧縮ばね１９を圧縮変形させて下方へ弾性的に変位する。
【００５１】
仮に、利用者が床板体１２の長手方向一端側、たとえば背床部１３ａ側に載ることで、固定床部１３ｃが水平に変位せず、ベッド本体１の長手方向に傾いて変位しても、固定床部１３ｃの長手方向両端部と幅方向の両端部に対向する位置にそれぞれマイクロスイッチ２３が設けられているから、床板体１２上に利用者が載ったことを４つのマイクロスイッチ２３の少なくとも１つによって確実に検出することができる。
【００５２】
同様に、上記固定床部１３ｃがベッド本体１の幅方向に傾いて変位したときにもそのことを４つのマイクロスイッチ２３の少なくとも１つによって確実に検出することができる。
【００５３】
利用者がマットレスＭ上に載ったことがマイクロスイッチ２３によって検出されれば、利用者がマットレスＭ上から降りたときにも、床板体１２に加わる荷重の変化によってそのことを上記マイクロスイッチ２３によって確実に検出することができる。つまり、利用者がマットレスＭ上から降りたことを確実に検出できるから、利用者が徘徊するのを未然に防止するなど、利用者の介護を安全に行うことが可能となる。
【００５４】
上記床板体１２の背床部１３ａ、腰床部１３ｂ、第１、第２の脚床部１３ｄ，１３ｅは起伏駆動機構１５によって起伏駆動される。利用者が床板体１２のマットレスＭ上で仰臥した状態で、各床部１３ａ，１３ｂ，１３ｄ，１３ｅが図４に示すように起上させられると、床板体１２上の利用者の荷重は固定床部１３ｃに集中的に加わるようになる。
【００５５】
そのため、各床部１３ａ，１３ｂ，１３ｄ，１３ｅが起上した状態ではマイクロスイッチ２３が利用者の荷重を確実に検出できることは勿論のこと、利用者が床板体１２上から降りたときには固定床部１３ｃに加わっていた利用者の荷重が大きく減少するから、そのことをマイクロスイッチ２３によって確実に検出することができる。
【００５６】
すなわち、起伏式ベッド装置において、固定床部１３ｃ以外の床部１３ａ，１３ｂ，１３ｄ，１３ｅに加わる利用者の荷重を検出するようにすると、起上させられた各床部１３ａ，１３ｂ，１３ｄ，１３ｅは倒伏方向へ撓み易いから、各床部に加わる利用者の荷重検出が不確実になり易いということがある。
【００５７】
しかしながら、上述したように起伏式ベッド装置の床板体１２の固定床部１３ｃをベッド本体１に弾性的に変位可能に設け、この固定床部１３ｃに加わる荷重の変化を上述したように検出するようにしている。
【００５８】
そのため、床板体１２のどの部分に利用者の荷重が加わっても、その荷重によって固定床部１３ａが変位して確実に検出することができる。
【００５９】
上記固定床部１３ｃを弾性的に支持する圧縮ばね１９の圧縮力、つまり固定床部１３ｃを支持する弾性力を調整部材２８によって調整できるようにした。そのため、たとえば利用者の体重に応じて圧縮ばね１９が固定床部１３ｃを支持する弾性力を上記調整部材２８によって調整すれば、利用者の体重が軽い場合であっても、利用者の荷重に対する上記固定床部１３ｃの弾性変位量を十分に確保することができる。つまり、マイクロスイッチ２３による固定床部１３ｃの変位検出感度を高めることができるから、そのことによっても、マットレスＭ上に利用者が乗り降りしたことを確実に検出することが可能となる。
【００６０】
上記固定床部１３ｃは、取付けねじ２６にガイドされて下方へ変位可能に設けられているが、上方への変位は上記取付けねじ２６の頭部２６ａによって規制されているから、下方への移動量が図５にＺで示す寸法以上になるのが阻止される。
【００６１】
そのため、床板体１２に加わる荷重が上記固定床部１３ｃを下方へ十分に変位させるだけの大きな荷重でなく、上記固定床部１３ｃの変位がわずかであっても、上記調整部材２８による圧縮ばね１９の調整と相まって上記マイクロスイッチ２３を確実に作動させることができる。つまり、上記マイクロスイッチ２３による検出感度が維持されることになる。
【００６２】
上記固定床部１３ｃの変位を検出する４つのマイクロスイッチ２３はベッド本体１の内部であって、上記固定床部１３ｃの下面側に位置する床フレーム１１の縦桟１１ａに設けられている。そのため、マイクロスイッチ２３に接続される配線に外力が加わり難いから、上記配線の断線が原因となる故障が発生するのを防止することができる。
【００６３】
図６はこの発明の第２の実施の形態を示す。なお、第１の実施の形態と同一部分には同一記号を付して説明を省略する。
【００６４】
図６に示す第２の実施の形態は、固定床部１３ｃをベッド本体１の床フレーム１１に弾性的に支持する支持構造の変形例である。すなわち、上記床フレーム１１の縦桟１１ａの内面に設けられた取付け部材１６には中途部が支軸３１によって支持された作動レバー３２が揺動可能に設けられている。つまり、合計で４つの作動レバー３２が一対の取付け部材１６の長手方向両端部に設けられている。
【００６５】
上記作動レバー３２の一端部はほぼ三角矩形状の当接部３２ａに形成され、この当接部３２ａは、利用者の荷重が床板体１２に加わっていない状態で、上端が上記固定床部１３ｃの下面に当接し、下端が圧縮ばね１９の上端に当接している。
【００６６】
上記圧縮ばね１９は上記取付け部材１６に一体形成された収容部１７ａに収容され、下端が調整部材２８によって押圧調整可能となっている。
【００６７】
なお、上記作動レバー３２他端は、利用者の荷重が床板体１２に加わっていない状態で、上記取付け部材１６に設けられたマイクロスイッチ２３の作動部２３ｂに当接している。つまり、マイクロスイッチ２３をオン状態にしている。
【００６８】
すなわち、第２の実施の形態では、第１の実施の形態に示された受け部材２２に代わり、中途部が上記圧縮ばね１９とマイクロスイッチ２３との間で支軸３１によって支持された上記作動レバー３２を揺動可能に設け、この作動レバー３１の一端の当接部３２ａで圧縮ばね１９を介して固定床部１３ｃを弾性的に変位可能に支持するようにした。
【００６９】
上記構成において、床板体１２の上記固定床部１３ｃに荷重が加わると、作動レバー３２は圧縮ばね１９を圧縮しながら図５に矢印Ｒで示す方向に回動する。それによって、上記固定床部１３ｃが弾性的に変位する。それと同時に、上記作動レバー３２の他端がマイクロスイッチ２３の作動部２３ｂから離れ、マイクロスイッチ２３をオフ状態にする。
【００７０】
したがって、上記マイクロスイッチ２３の作動によって、床板体１２上に利用者が載り降りしたことを検出することができる。
【００７１】
また、固定床部１３ｃの弾性的変位を検出するのに作動レバー３２を用いるようにした。上記作動レバー３２は中途部が支軸３１によって取付け部材１６に枢支されている。そのため、上記作動レバー３２は圧縮ばね１９や固定床部１３ｃに対して位置ずれが生じることなく揺動するから、上記作動レバー３２によるマイクロスイッチ２３のオン−オフ動作が確実に行われるということもある。
【符号の説明】
【００７２】
１…ベッド本体、１１…床フレーム、１２…床板体、１３ａ〜１３ｅ…床部、１５…起伏駆動機構、１７…収容部材（収容部）、１９…圧縮ばね、２３…マイクロスイッチ（離床検出手段）、２８…調整部材。
【図１】
0005719694.tif 000002
【図２】
0005719694.tif 000003
【図３】
0005719694.tif 000004
【図４】
0005719694.tif 000005
【図５】
0005719694.tif 000006
【図６】
0005719694.tif 000007